(57)【要約】【課題】電源装置の汎用性を高めることができる信号モジュール及び照明装置を提供することを目的とする。【解決手段】第１の通信方式によりコマンドを受信し、受信したコマンドに応じた制御信号を出力する無線モジュール５０が、装着可能なインターフェースを有する電気機器２２に用いられる信号モジュール２３であって、第２の通信方式によりコマンドを受信する受信部と、受信部により受信されたコマンドを、無線モジュールがコマンドを受信した場合にコマンドに基づき出力する制御信号と同じ制御信号に変換する変換部と、インターフェースに装着され、変換部により変換された制御信号を前記インターフェースに出力する出力部を備える。【選択図】図２
2018160373.tif 000002
【特許請求の範囲】
【請求項１】
電気機器の接続部に装着可能な接続形状及び前記電気機器を制御可能な２次制御信号を出力する信号モジュールであって、
前記電気機器は、第１の通信方式により１次制御信号を受信し、１次制御信号に応じた２次制御信号を出力する信号モジュールが装着可能な接続部を備え、
前記信号モジュールは、第２の通信方式により機器制御信号を受信する受信部と、
前記電気機器の接続部に装着可能であり、前記２次制御信号を出力する出力部を備える
ことを特徴とする信号モジュール。
【請求項２】
前記第１の通信方式は、無線通信方式であり、
前記第２の通信方式は、有線通信方式である
ことを特徴とする請求項１記載の信号モジュール。
【請求項３】
前記有線通信方式は、ＰＷＭ信号を通信する方式である
ことを特徴とする請求項２記載の信号モジュール。
【請求項４】
前記電気機器は、電源装置である
ことを特徴とする請求項１記載の信号モジュール。
【請求項５】
入力装置と、第２の信号モジュールと、電源装置と、前記電源装置によって駆動される光源を備えた照明装置であって、
前記第２の信号モジュールは、前記入力装置が発し第２の通信方式により伝送される機器制御信号を受信する受信部と、２次制御信号を出力する出力部を備え、
前記電源装置は、接続部を備え、前記接続部に前記第２の信号モジュールが着脱可能であり、前記２次制御信号によって制御可能であり、
前記接続部は、前記第１の通信方式とは異なる第２の通信方式により伝送される１次制御信号を２次制御信号に変換して出力する第１の信号モジュールを装着可能であり、
前記接続部に接続する第１の信号モジュールと前記第２の信号モジュールを交換することにより、前記第１の通信方式及び前記第２の通信方式による制御が可能である、照明装置。
【請求項６】
前記第１の通信方式は、無線通信方式であり、
前記第２の通信方式は、有線通信方式である
ことを特徴とする請求項６記載の照明装置。
【請求項７】
前記有線通信方式は、ＰＷＭ信号を通信する方式である
ことを特徴とする請求項６記載の照明装置。
【請求項８】
前記コマンドは、光源の調光、調色、放射角、配光方向、移動の少なくとも１つを制御するものである、請求項５から７のいずれか１項に記載の照明装置。
【発明の詳細な説明】
【技術分野】
【０００１】
本発明は、信号モジュール及びこれを含む照明装置に関する。
【背景技術】
【０００２】
近年、照明装置制御の無線化が進んでいる。具体的には、照明装置は、点灯、消灯及び調光などの動作を指示するコマンドを無線によって受信する。照明装置は、光源及び電源装置を備える。電源装置は、コマンドに応じた直流電流を光源に出力する。光源は、直流電流の大きさに従って点灯、消灯及び調光などの動作を行う。
【０００３】
特許文献１において、照明装置制御の無線化を実現するため、無線通信機能を有する信号モジュールが、コマンドに基づき動作する電源装置に配された例が記載されている。
【先行技術文献】
【特許文献】
【０００４】
【特許文献１】特開２０１３−２３６３６１号公報
【発明の概要】
【発明が解決しようとする課題】
【０００５】
上述の照明装置では制御の無線化が実現されるものの、その電源装置は無線による制御専用のものとなり、無線通信を使用しない態様、無線通信ができない環境での使用ができないため、汎用性の低いものとなる。
【０００６】
上記の課題に鑑み、本発明に係る信号モジュール及び照明装置は、電源装置の汎用性を高めることを目的とする。
【課題を解決するための手段】
【０００７】
上記課題を解決するために本発明に係る信号モジュールは、電気機器の接続部に装着可能な接続形状及び前記電気機器を制御可能な２次制御信号を出力する信号モジュールであって、前記電気機器は、第１の通信方式により１次制御信号を受信し、１次制御信号に応じた２次制御信号を出力する信号モジュールが装着可能な接続部を備え、前記信号モジュールは、第２の通信方式により機器制御信号を受信する受信部と、前記電気機器の接続部に装着可能であり、前記２次制御信号を出力する出力部を備える。
【発明の効果】
【０００８】
上述の構成により、本発明に係る信号モジュールは、第１の通信方式のみならず第２の通信方式によるコマンドの受信を可能とするため電気機器の汎用性を高めることができる。
【図面の簡単な説明】
【０００９】
【図１】本発明の一実施形態に係る照明システムの構成を示す図
【図２】図１の照明システムを構成する照明装置に含まれる電源装置及び信号モジュールを示す斜視図
【図３】図２の電源装置が備える接続部を説明するための図
【図４】図２の信号モジュールの構成を示すブロック図
【図５】図１の照明装置を構成する調光信号端子台の外観を示す斜視図
【図６】図１の照明装置を構成する電源端子台の外観を示す斜視図
【図７】本発明の変形例に係る信号モジュールの外観を示す斜視図
【発明を実施するための形態】
【００１０】
以下、本発明の一実施形態に係る照明装置１を含む照明システムについて図面を参照しながら説明する。
＜１．第１の実施形態＞
図１に示すように、照明システムは、電気機器の一例としての照明装置１及び入力装置の一例としての調光器３を備える。照明装置１と調光器３とは制御信号線３５で電気的に接続されている。調光器３は、ユーザが調光の度合いを指示するための回転式の調光つまみ３７を有する。調光器３は、ユーザが調光つまみ３７を回す角度に応じた調光度合い（調光率ともいう。）を表す機器調光制御信号を出力する。照明装置１は、制御信号線３５を介して機器調光制御信号を受信し、受信した機器調光制御信号に応じた調光を行う。
【００１１】
照明装置１は、照明装置１を設置するための設置環境の一例である天井２に設置される。天井２は、天井板３１、取付用ボルト３２ａ、取付用ボルト３２ｂ、制御信号線３５、電源・アース線３６を備える。
【００１２】
図１において、天井板３１を切断したかのような表現をしているが、これは理解容易化のため模式的に表しているためである。天井板３１は、板状の部材であり、照明装置１を嵌め込むことができる程度の大きさ、形の開口を有すれば足りる。天井２には、照明装置１を取り付ける位置に対応する位置に、取付用ボルト３２ａ及び取付用ボルト３２ｂが設置されている。また、天井２には、制御信号線３５、及び、電力供給元から照明装置１に電力を供給するための電源・アース線３６が配されている。制御信号線３５は、照明装置１が備える調光信号端子台２４に電気的に接続される。電源・アース線３６は、照明装置１が備える電源端子台２５に電気的に接続される。
【００１３】
照明装置１は、天井板３１の表面３１ａ側から天井板３１の開口に嵌め込まれる。嵌め込まれる際、取付用ボルト３２ａ及び取付用ボルト３２ｂが、照明装置１の天板に設けられた取付ボルト用穴２８ａ及び取付ボルト用穴２８ｂに通される。そして、取付用ボルト３２ａ及び取付用ボルト３２ｂのそれぞれに、座金３３ａ及び座金３３ｂを挟み込んでナット３４ａ及びナット３４ｂが累合されることで照明装置１が固定される。
【００１４】
ここで、照明装置１は、第１の通信方式の一例である無線通信方式とは異なる第２の通信方式の一例である有線通信方式により動作指示を受信し、その動作指示に基づき光源に対し調光等の動作を指示する電源装置を備える。照明装置１は、第１の通信方式により制御されることを前提として設計された電源装置を、有線信号で制御可能な電源装置として使用することができる。第２の通信方式では、例えば、ＰＷＭ（Ｐｕｌｓｅ  Ｗｉｄｔｈ  Ｍｏｄｕｌａｔｉｏｎ）信号による通信を行う。
【００１５】
以下、照明システムを構成する照明装置、特に照明装置を構成する信号モジュールについて詳細に説明する。
【００１６】
＜照明装置１＞
照明装置１は、光源部１０と本体部２０とを備える。
＜光源部１０＞
光源部１０は、本体部２０に嵌め込まれて略箱状の照明装置１０の外観を構成する。
【００１７】
光源部１０は、図１に示すように、枠部１１、光源モジュール１２ａ、光源モジュール１２ｂ、モジュール側接続線１３、及びモジュール側コネクタ１４を備える。
【００１８】
枠部１１は、照明装置１の外観の一部を構成する略板状の部材である。枠部１１には、光源モジュール１２ａ及び光源モジュール１２ｂを嵌め込むための取付穴が設けられている。
【００１９】
光源モジュール１２ａ及び光源モジュール１２ｂは、光源の一例として複数のＬＥＤ（Ｌｉｇｈｔ  Ｅｍｉｔｔｉｎｇ  Ｄｉｏｄｅ）素子が配列された基板（図示せず）、及び、その基板におけるＬＥＤ配列面の裏面に配されるヒートシンク（図示せず）を備えるモジュールである。光源モジュール１２ａ及び光源モジュール１２ｂは、各ＬＥＤ素子が発する光による発光面１２ａａ及び発光面１２ｂａが照明装置１の外方を向くよう枠部１１の取付穴に取り付けられる。
【００２０】
光源モジュール１２ａ及び光源モジュール１２ｂは、後述する電源装置２２よりモジュール側接続線１３を介して入力される光源駆動出力により駆動される。光源モジュール１２ａ及び光源モジュール１２ｂにおける各ＬＥＤ素子は、光束が光源駆動出力の大きさに略比例する大きさの光束で発光する。なお、光束の大きさの単位はルーメンである。光源駆動出力は、一例として、電流値が０〜１５０ミリアンペア（以下「ｍＡ」という。）の電流である。
【００２１】
モジュール側接続線１３は、光源駆動出力を伝送する接続線である。モジュール側接続線１３は、一端が光源モジュール１２ａ及び光源モジュール１２ｂに接続され、他端にモジュール側コネクタ１４が取り付けられている。
【００２２】
モジュール側コネクタ１４は、後述する本体側コネクタ２７に接続されるコネクタである。モジュール側コネクタ１４は、本体側コネクタ２７に接続されることにより、モジュール側接続線１３と後述する本体側接続線２６とを電気的に接続する。
＜本体部２０＞
本体部２０は、図１に示すように、照明装置１のうち、天井２に設けられる開口に嵌め込まれる部材であり、筐体部２１、電源装置２２、有線信号モジュール２３、調光信号端子台２４、電源端子台２５、本体側接続線２６、及び本体側コネクタ２７を備える。
【００２３】
筐体部２１は、一面が開口した箱状の部材であり、部品などの収容が可能である。筐体部２１の開口部分に、光源部１０の枠部１１の外周部分が嵌合する。また、本体部２０の底面板が上述の照明装置１の天板に相当し、この底面板に取付ボルト用穴２８ａ、取付ボルト用穴２８ｂ、及び信号線用穴２８ｃが形成されている。
＜電源装置２２＞
電源装置２２は、光源を所望の明るさで発光させるための電力である光源駆動出力を、光源モジュール１２ａ及び光源モジュール１２ｂに対し出力するための定電流回路を備えた電源装置である。電源装置２２は、スイッチング回路、ダイオード、平滑コンデンサ、ＦＥＴ（Ｆｉｅｌｄ  Ｅｆｆｅｃｔ  Ｔｒａｎｓｉｓｔｏｒ）、トランジスタ、抵抗などの少なくとも一部を備える。
【００２４】
電源装置２２は、電源制御信号により定まる大きさの光源駆動出力を本体側接続線２６に出力する。電源制御信号は、一例として、３Ｖ、１ｋＨｚのＰＷＭ（Ｐｕｌｓｅ  Ｗｉｄｔｈ  Ｍｏｄｕｌａｔｉｏｎ）信号である。この場合、電源装置２２は、一例としてＰＷＭ信号のデューティー比の大きさに略比例する電流値の光源駆動出力を行う。
【００２５】
電源装置２２は、図２に示すように、所定の接続形状及び電源制御信号形式を有する信号モジュールを挿入するための接続部２９を備える。接続部２９には、信号モジュールの一例として、有線信号モジュール２３が挿入される。接続部２９には、信号モジュールの一例としての無線信号モジュール５０を挿入することもできるよう構成されている。
【００２６】
図３は、接続部２９の内部について説明するため、図２中のＸ−Ｘ断面における接続部２９近傍を模式的に表した図である。接続部２９の内部には、ソケット部６１が配されている。ソケット部６１には、金属製の端子を含む端子部６２を備える。端子部６２は、電源装置２２内の回路に電気的に接続している。電源装置２２は、端子部６２を介して外部より信号を受信し、受信した信号に応じて動作する。
【００２７】
ここで、上述の所定の接続形状及び電源制御信号形式とは、接続部２９に挿入可能な形状を有し、挿入された場合に、信号モジュールが有する端子が端子部６２に配された端子に適切に電気的に接続し、電気的に接続した両端子を介して適切に信号を伝達できるとの条件を満たす接続形状及び電源制御信号形式である。
【００２８】
電源装置２２の接続部２９は電源装置の筐体の一部に設けられているが、電源からコードを介して接続部が設けられていてもよい（その場合は、電源、コードと接続部を合わせて電源装置と呼ぶこととする）。
＜有線信号モジュール２３＞
有線信号モジュール２３は、１次制御信号である機器調光制御信号を受信し、機器調光制御信号に応じた２次制御信号である電源制御信号を電源装置２２に出力するモジュールである。一例として、有線信号モジュール２３は、機器調光制御信号の電圧及び周波数を適宜変換して電源制御信号を生成している。なお、本実施形態の例では、機器調光制御信号と、電源制御信号との周波数が同じであるので、有線信号モジュール２３における、周波数の変換機能を実現する構成は省略できる。
【００２９】
有線信号モジュール２３は、図２に示すように、本体部４１と、上述の所定の接続形状を有するコネクタ部４２を備える。
【００３０】
本体部４１は、筐体内に回路を備える部材である。
【００３１】
コネクタ部４２は、金属製の端子から成る端子部４３を有するコネクタである。端子部４３は、本体部４１が出力する信号を出力可能な入出力端子である。
【００３２】
本体部４１には、機器制御信号線４４ａ及び機器制御信号線４４ｂの一端が接続されている。機器制御信号線４４ａ及び機器制御信号線４４ｂの他端は、調光信号端子台２４に接続されている。機器制御信号線４４ａ及び機器制御信号線４４ｂは、調光器３から出力され、調光信号端子台２４により中継される機器調光制御信号を伝送する。
【００３３】
ここで、機器調光制御信号は、１２Ｖ、周波数が１キロヘルツ（以下「ｋＨｚ」という）、デューティー比０〜１００％のＰＷＭ信号である。ＰＷＭ信号のデューティー比が調光度合いを表している。
【００３４】
図４は、有線信号モジュール２３を機能的に表すブロック図である。
【００３５】
有線信号モジュール２３は、機能的には、制御信号入力部７１、変換部７２、出力端子部７３及び入力端子部７４を備える。なお、変換部７２は、信号の変換が必要なければ構成の一部又は全部を省略してもよい。
【００３６】
制御信号入力部７１は、機器調光制御信号が入力される入力部である。制御信号入力部７１には、機器制御信号線４４ａ及び機器制御信号線４４ｂが接続される。制御信号入力部７１には、機器制御信号線４４ａ及び機器制御信号線４４ｂを介して機器調光制御信号が入力される。入力した機器調光制御信号は変換部７２に伝送される。
【００３７】
変換部７２は、機器調光制御信号を受信し、受信した機器調光制御信号を電源制御信号に変換して出力する機能を有する。変換部７２は、より具体的にはＩＣ（Ｉｎｔｅｇｒａｔｅｄ  Ｃｉｒｃｕｉｔ）、ＬＳＩ（Ｌａｒｇｅ  Ｓｃａｌｅ  Ｉｎｔｅｇｒａｔｉｏｎ）、ＤＳＰ（Ｄｉｇｉｔａｌ  Ｓｉｇｎａｌ  Ｐｒｏｃｅｓｓｏｒ）など信号処理が可能な部材、及びこれらを制御するプログラムなどで構成される。
【００３８】
変換部７２は、信号レベル変換部７５及び周波数変換部７６を含んで構成されている。
【００３９】
信号レベル変換部７５は、入力される信号のレベル（大きさ）を、出力すべき信号のレベルに変換する機能を有する。ここで、入力される機器調光信号は、１２Ｖの信号レベルを有する。出力すべき信号である電源制御信号の信号レベルは３Ｖである。このため、信号レベル変換部７５は、１２Ｖの信号レベルを３Ｖに変換する。
【００４０】
周波数変換部７６は、入力される信号の周波数を、出力すべき信号の周波数に変換する機能を有する。ここで、本実施形態では、入力される機器調光信号の周波数、出力すべき信号である電源制御信号の周波数がともに１ｋＨｚであるため、周波数変換部７６は省略するのが望ましい。
【００４１】
出力端子部７３は、変換部７２が生成し出力する信号を外部に出力する機能を有する。出力端子部７３は、具体的には金属製の端子である。出力端子部７３により電源制御信号６８が出力される。
【００４２】
入力端子部７４は、外部から入力される信号を受け付ける機能を有する。入力端子部７４は、具体的には金属製の端子である。入力端子部７４に入力される信号は、一例として、電源装置２２が出力する、電源装置２２のエラー状態、通信状態などを表すステータス信号である。電源装置２２が、上述のステータス信号を出力しない場合には、入力端子部７４は、使用しないこととしてもよいし、省略してもよい。
＜調光信号端子台２４＞
図１に示す調光信号端子台２４は、調光制御信号を伝送するための電線を分岐し、中継するための部材である。
【００４３】
調光信号端子台２４は、図５に示すように、本体部８１、端子部８２ａ、端子部８２ｂ、端子部８２ｃ、端子部８３ａ、端子部８３ｂ、端子部８３ｃ、解除ボタン８４ａ及び解除ボタン８４ｂを備える。
【００４４】
本体部８１は、調光信号端子台２４の外観を構成する筐体内に部材が収容されて成る。
【００４５】
端子部８２ａ、端子部８２ｂ及び端子部８２ｃは、電線挿入口を有しており、電線挿入口に挿入された電線を固定する機構を備える。端子部８２ａ、端子部８２ｂ及び端子部８２ｃは電気的に接続している。よって、端子部８２ａ、端子部８２ｂ及び端子部８２ｃのそれぞれに電線が挿入されると、挿入された電線同士は電気的に接続する。
【００４６】
端子部８３ａ、端子部８３ｂ及び端子部８３ｃは、電線挿入口を有しており、電線挿入口に挿入された電線を固定する機構を備える。端子部８３ａ、端子部８３ｂ及び端子部８３ｃは電気的に接続している。よって、端子部８３ａ、端子部８３ｂ及び端子部８３ｃのそれぞれに電線が挿入されると、挿入された電線同士は電気的に接続する。
【００４７】
調光信号端子台２４は、制御信号線３５を、有線モジュール２３への配線と、他の照明装置への送り配線とに分岐するために用いられる。
【００４８】
ここで、制御信号線３５は、制御信号用の電線とグランド用の電線とを含む。制御信号線３５のうち制御信号用の電線は、端子部８２ａに挿入される。そして、端子部８２ｂに、他の照明装置への送り配線が挿入され、端子部８２ｃに、制御信号線４４ａが挿入される。制御信号線３５のうちグランド用の電線は、端子部８３ａに挿入される。そして、端子部８３ｂに、他の照明装置への送り配線が挿入され、端子部８３ｃに、制御信号線４４ｂが挿入される。
【００４９】
解除ボタン８４ａは、端子部８２ａ、端子部８２ｂ及び端子部８２ｃによる電線の固定を解除するためのボタンである。具体的には、解除ボタン８４ａが押されている間、端子部８２ａ、端子部８２ｂ及び端子部８２ｃにおける電線を固定する機構が、電線の固定を解除する。一方、解除ボタン８４ａが押されていないときは、端子部８２ａ、端子部８２ｂ及び端子部８２ｃにおける電線を固定する機構が電線を固定し、各端子と挿入されている電線とを電気的に接続する。
【００５０】
解除ボタン８４ｂは、端子部８３ａ、端子部８３ｂ及び端子部８３ｃによる電線の固定を解除するためのボタンである。具体的には、解除ボタン８４ｂが押されている間、端子部８３ａ、端子部８３ｂ及び端子部８３ｃにおける電線を固定する機構が、電線の固定を解除する。一方、解除ボタン８４ｂが押されていないときは、端子部８３ａ、端子部８３ｂ及び端子部８３ｃにおける電線を固定する機構が電線を固定し、各端子と挿入されている電線とを電気的に接続する。
＜電源端子台２５＞
電源端子台２５は、電力を供給するための電線を分岐し、中継するための部材である。
【００５１】
電源端子台２５は、図６に示すように、本体部９１、解除ボタン９２ａ、解除ボタン９２ｂ、端子部９３ａ、端子部９３ｂ、端子部９３ｃ、解除ボタン９４ａ、解除ボタン９４ｂ、端子部９５ａ、端子部９５ｂ、及び端子部９５ｃを備える。
【００５２】
本体部９１は、電源端子台２５の外観を構成する筐体内に部材が収容されて成る。
【００５３】
端子部９３ａ、端子部９３ｂ及び端子部９３ｃは、電線挿入口を有しており、電線挿入口に挿入された電線を固定する機構を有する。端子部９５ａ、端子部９５ｂ及び端子部９５ｃは、電線挿入口を有しており、電線挿入口に挿入された電線を固定する機構を有する。端子部９３ａ及び端子部９５ａは電気的に接続し、かつ電源装置２２と電気的に接続している。よって、端子部９３ａ及び端子部９５ａのそれぞれに電線が挿入されると、挿入された電線同士は電気的に接続する。端子部９３ｂ及び端子部９５ｂは、電気的に接続し、かつ電源装置２２と電気的に接続している。よって、端子部９３ｂ及び端子部９５ｂのそれぞれに電線が挿入されると、挿入された電線同士は電気的に接続する。
【００５４】
また、端子部９３ｃ及び端子部９５ｃは、電気的に接続し、かつ電源装置２２と電気的に接続している。よって、端子部９３ｃ及び端子部９５ｃのそれぞれに電線が挿入されると、挿入された電線同士は電気的に接続する。
【００５５】
解除ボタン９２ａは、電線の固定を解除するためのボタンである。具体的には、解除ボタン９２ａが押されている間、端子部９３ａ及び端子部９３ｂにおける電線を固定する機構が、電線の固定を解除する。一方、解除ボタン９２ａが押されていないときは、端子部９３ａ及び端子部９３ｂにおける電線を固定する機構が電線を固定する。
【００５６】
解除ボタン９２ｂ、解除ボタン９４ａ及び解除ボタン９２ｂは、それぞれ解除ボタン９２ａと同様の機構を有するボタンであり、端子部９３ｃ、端子部９５ａ及び端子部９５ｂ、並びに端子部９５ｃにおける電線の固定、固定の解除を切り替える。
【００５７】
ここで、電源・アース線３６のうち、電源線３６ａ及び電源線３６ｂが端子部９３ａ及び端子部９３ｂに挿入される。電源・アース線３６のうち、アース線３６ｃが端子部９３ｃに挿入される。送り配線についても、電源・アース線３６の場合と同様に、送り配線の電源線が端子部９４ａ及び端子部９４ｂに挿入される。そして、送り配線のうちアース線が端子部９３ｃに挿入される。
＜無線信号モジュール５０＞
無線信号モジュール５０は、タブレット又はＰＣなどの入力装置により手動または自動で入力された調光度などの制御情報に基づき、無線通信により発信された１次制御信号であるコマンドを無線通信により受信し、このコマンドに対応する２次制御信号である電源制御信号を電源装置２２に出力する機能を有するモジュールである。ここで、有線信号モジュール２３が機器調光制御信号を受信したときに出力する電源制御信号と、この機器調光制御信号に対応するコマンドを受信したときに、無線信号モジュール５０が出力する電源制御信号は同じ形式の信号である。
【００５８】
無線信号モジュール５０は、図２に示すように、本体部５１、コネクタ部５２を備える。
【００５９】
本体部５１は、筐体内に回路を備えた部材である。
【００６０】
本体部５１は、ＤＳＰを備え、受信した機器調光制御信号に応じた電源制御信号を、コネクタ部５２を介して電源装置２２に出力する。
【００６１】
コネクタ部５２は、金属製の端子から成る端子部を有するコネクタであり、有線信号モジュール２３が備えるコネクタ部４２と略同一の形状を有する。無線信号モジュール５０は、上述の有線信号モジュールと互換性のある接続形状及び電源制御信号形式を備えており、接続部２９に挿入されると、コネクタ部５２の備える各端子が、ソケット部６１が備える各端子と電気的に接続する。
【００６２】
無線信号モジュール５０は、無線信号として、ＩＥＥＥ８０２．１５．４規格に準拠した信号の送受信を行うことができるが、これに限らずＩＥＥＥ８０２．１５．１規格、ＩＥＥＥ８０２．１１規格などの通信を行ってもよい。
＜効果＞
以上、説明したように、本発明の一実施形態に係る有線信号モジュールは、無線信号モジュールと同じ接続形状及び同じ電源制御信号形式を有する。そして、電源装置が備える接続部に、無線信号モジュールと同様、装着可能となっている。このため、無線信号により制御されることを前提として設計された電源装置を、有線信号で制御可能な電源装置として使用することができる。したがって、電源装置を設置した後で、有線制御と無線制御のどちらで制御するかを変更可能である。また、無線制御用電源と有線制御用電源とを両方とも用意しておくことなく、一例として一方である用意しておき、有線制御用電源として有効に活用することもできる。
＜２．第２の実施形態＞
第１の実施形態では、照明装置１が調光信号端子台２４を有することとしていたが、調光信号端子台２４に相当する調光信号端子台を有線信号モジュールと一体化する構成としてもよい。
【００６３】
無線により制御される照明装置においては、無線信号モジュールが機器調光制御信号に対応するコマンド（１次制御信号）を無線により受信するので、有線信号を分岐する調光信号端子台を設ける必要がない。よって、調光信号端子台を有線信号モジュールと一体化する構成とすることにより、照明装置における信号モジュールを除く構成を、有線制御する場合と無線制御する場合とで共通化することができる。すなわち、電源装置に装着される無線信号モジュールに代えて、本実施形態に係る調光信号端子台と一体化された有線信号モジュールを装着することで、無線制御用の電源装置を有線制御用に用いることができる。
【００６４】
以下、第２の実施形態について、有線信号モジュールの構成を中心に説明する。
【００６５】
図７は、本実施形態に係る有線信号モジュール１００を説明するための斜視図である。
【００６６】
有線信号モジュール１００は、図７に示すように、本体部１０１、コネクタ部４２及び端子台部１０２を備える。
【００６７】
本体部１０１は、第１の実施形態における本体部４１と同様の構成及び機能を有する。
【００６８】
端子台部１０２は、調光信号端子台２４と同様の機能、すなわち調光制御信号を伝送するための電線を分岐し、中継する機能を有する。
【００６９】
ここで、第１の実施形態における有線信号モジュール２３では、本体部４１と、調光信号端子台２４との間を、機器制御信号線４４ａ及び機器制御信号線４４ｂにより電気的に接続していた。これに対し、有線信号モジュール１００では、本体部１０１と端子台部１０２との電気的接続は有線信号モジュール１００の筐体の内部で行われており、これらの接続のための信号線は筐体の外部に露出しない。
【００７０】
端子台部１０２は、端子部１１１ａ、端子部１１１ｂ、端子部１１２ａ及び端子部１１２ｂを備える。
【００７１】
端子部１１１ａ及び端子部１１１ｂは、端子部８２ａ及び端子部８２ｂに相当する。端子部１１１ａ及び端子部１１１ｂは、電線挿入口を有しており、電線挿入口に挿入された電線を固定する機構を有する。端子部１１１ａ及び端子部１１１ｂは電気的に接続している。よって、端子部１１１ａ及び端子部１１１ｂのそれぞれに電線が挿入されると、挿入された電線同士は電気的に接続する。端子部１１１ａ及び端子部１１１ｂは、本体部１０１と電気的に接続している。
【００７２】
端子部１１２ａ及び端子部１１２ｂは、端子部８３ａ及び端子部８３ｂに相当する。端子部１１２ａ及び端子部１１２ｂは、電線挿入口を有しており、電線挿入口に挿入された電線を固定する機構を有する。端子部１１２ａ及び端子部１１２ｂは電気的に接続している。よって、端子部１１２ａ及び端子部１１２ｂのそれぞれに電線が挿入されると、挿入された電線同士は電気的に接続する。端子部１１２ａ及び端子部１１２ｂは、本体部１０１と電気的に接続している。
【００７３】
解除ボタン１１３ａ、解除ボタン１１３ｂ、解除ボタン１１４ａ及び解除ボタン１１４ｂは、電線の固定を解除するためのボタンであり、各解除ボタンが押されている間、各端子部における電線を固定する機構が、電線の固定を解除する。一方、各解除ボタンが押されていないときは、各端子部における電線を固定する機構が電線を固定する。
【００７４】
以上のように、有線信号モジュール１００を上述の構成とすることで、照明装置において調光信号端子台を設ける必要がなくなる。よって、電源装置及び照明装置において、無線制御、有線制御の別により構成を変更すべき箇所を減少させ、あるいは無くすことができる。すなわち、信号モジュールを除く照明装置の構成を、有線制御を行う場合と無線制御を行う場合とで共通化することができる。
＜３．変形例＞
以上、本発明に係る照明システム、照明装置及び有線信号モジュールの実施形態を説明したが、例示した照明システム、照明装置及び有線信号モジュールを以下のように変形することも可能であり、本発明が上述の実施形態で示した通りの照明システム、照明装置及び有線信号モジュールに限られないことは勿論であ
【００７５】
（１）第１の実施形態では、照明装置１として、筐体の一部を天井に埋め込む略正方形のスクエアベースライトを用いる例で説明したが、これに限らず、照明装置であれば足りる。照明装置１は、例えば、ベースライト、ベースダウンライト、ユニバーサルダウンライト、スポットライト及び高天井用照明であってもよ
【００７６】
（２）第１の実施形態では、ユーザが調光器３を用い、照明装置１に調光動作をさせる例について説明した。しかしながら、照明装置１に行わせる動作は調光動作に限らず、照明装置１が実行可能な動作であれば足りる。例えば、実行可能な動作として、光源の色温度を変化させる調色、あるいは任意の色の選択動作としてもよい。また、光源のレンズ等を動かして放射角を変更することとしてもよい。また、照明装置がスポットライトである場合に、光源を含む灯体部分の首振りをして配光方向を変更することとしてもよい。また、照明装置がダクトレールに取り付けるタイプのスポットライトであって、光源を含む灯体部分がダクトレールに沿って移動する機能を有する場合に、ダクトレールに沿って灯体部分が移動することとしてもよ
【００７７】
（３）第１の実施形態では、機器制御信号である機器調光制御信号が、電圧１２Ｖ、周波数１ｋＨｚ、デューティー比０〜１００％のＰＷＭ信号である例を用いて説明した。しかしながら、機器制御信号は、このフォーマットに限られるものではなく、照明装置に対し指示を伝えられるフォーマットであれば足りる。機器制御信号は、例えば、電圧、周波数を異ならせた信号としてもよいし、パルス振幅変調信号などＰＷＭ信号以外のフォーマットの信号、あるいはデジタル信号としてもよい。
【００７８】
また、第１の実施形態では、電源制御信号が電圧３Ｖ、周波数１ｋＨｚのＰＷＭ信号である例を用いて説明した。しかしながら、電源制御信号は、このフォーマットに限られるものではなく、電源装置に対し指示を伝えられるフォーマットであれば足りる。電源制御信号は、例えば、電圧、周波数を異なるものとしてもよいし、パルス振幅変調信号などＰＷＭ信号以外のフォーマットの信号としてもよ
【００７９】
（４）第１の実施形態では、電気機器の一例として照明装置１を用いたが、これに限らず、外部から制御用の信号、コマンドなどを入力し、入力に基づいた動作を行う電気機器であれば足りる。例えば、電気機器は、天井に取り付けられる人感センサー、カメラなどであってもよいし、冷蔵庫、洗濯機などの家電等であってもよ
【００８０】
（５）第１の実施形態では、調光信号端子台２４は、入力される信号を２分岐するよう構成していたが、これに限らず３分岐以上可能な構成としてもよい。また、電源端子台２５についても同様に、入力される信号を２分岐するよう構成していたが、これに限らず３分岐以上可能な構成としてもよ
【００８１】
（６）第１の実施形態では、照明装置１は電源装置を１個備える例で説明したが、これに限らず、２個以上備えることとしてもよい。例えば、複数の電源装置それぞれが、発光する色温度がそれぞれ異なるなど複数種の光源モジュールのそれぞれを制御するような構成としてもよい。この場合、例えば、上記変形例（５）で示したような多数分岐する電源端子台を用い、複数の電源装置間で、電源を供給するための電線が送り配線となるように配線を行ってもよ
【００８２】
（７）上述の実施形態及び各変形例を、部分的に組み合せてもよい。
＜４．補足＞
以下、更に本発明の一実施形態としての照明システム、照明装置及び有線信号モジュールの構成及びその変形例と効果について説明す
【００８３】
（１）本発明の一実施形態に係る信号モジュールは、電気機器の接続部に装着可能な接続形状及び前記電気機器を制御可能な２次制御信号を出力する信号モジュールであって、前記電気機器は、第１の通信方式により１次制御信号を受信し、１次制御信号に応じた２次制御信号を出力する信号モジュールが装着可能な接続部を備え、前記信号モジュールは、第２の通信方式により機器制御信号を受信する受信部と、前記電気機器の接続部に装着可能であり、前記２次制御信号を出力する出力部を備える。
【００８４】
この構成により、第１の通信方式のみならず第２の通信方式によるコマンドの受信を可能とするため電気機器の汎用性を高めることができ
【００８５】
（２）また、前記第１の通信方式は、無線通信方式であり、前記第２の通信方式は、有線通信方式であるとしてもよい。
【００８６】
この構成により、無線通信を用いて制御される電気機器を、有線通信を用いて制御を可能にすることができ
【００８７】
（３）また、前記有線通信方式は、ＰＷＭ信号を通信する方式であるとしてもよい。
【００８８】
この構成により、ＰＷＭ信号を用いて電気機器を制御することができ
【００８９】
（４）また、前記電気機器は、電源装置であるとしてもよい。
【００９０】
この構成により、無線通信を用いて制御される電源装置を、有線通信を用いて制御することができ
【００９１】
（５）本発明の一実施形態に係る照明装置は、入力装置と、第２の信号モジュールと、電源装置と、前記電源装置によって駆動される光源を備えた照明装置であって、前記第２の信号モジュールは、前記入力装置が発し第２の通信方式により伝送される機器制御信号を受信する受信部と、２次制御信号を出力する出力部を備え、前記電源装置は、接続部を備え、前記接続部に前記第２の信号モジュールが着脱可能であり、前記２次制御信号によって制御可能であり、前記接続部は、前記第１の通信方式とは異なる第２の通信方式により伝送される１次制御信号を２次制御信号に変換して出力する第１の信号モジュールを装着可能であり、前記接続部に接続する第１の信号モジュールと前記第２の信号モジュールを交換することにより、前記第１の通信方式及び前記第２の通信方式による制御が可能である。
【００９２】
この構成により、第１の通信方式と第２の通信方式とによらず、照明装置の構成を共通化しう
【００９３】
（６）また、前記第１の通信方式は、無線通信方式であり、前記第２の通信方式は、有線通信方式であるとしてもよい。
【００９４】
この構成により、無線通信を用いて制御される照明装置を、有線通信を用いて制御を可能にすることができ
【００９５】
（７）また、前記有線通信方式は、ＰＷＭ信号を通信する方式であるとしてもよい。
【００９６】
この構成により、ＰＷＭ信号を用いて照明装置を制御することができ
【００９７】
（８）また、前記コマンドは、光源の調光、調色、放射角、配光方向、移動の少なくとも１つを制御するものであるとしてもよい。
【００９８】
この構成により、照明装置における光源の調光、調色、放射角、配光方向、移動の少なくとも１つの制御について、第１の通信方式及び第２有線通信のいずれを用いて行うかを選択することができる。
【符号の説明】
【００９９】
１  照明装置
２  天井
３  調光器
１０  光源部
１１  枠部
１２ａ、１２ｂ  光源モジュール
１３  モジュール側接続線
１４  モジュール側コネクタ
２０  本体部
２１  筐体部
２２  電源装置
２３  有線信号モジュール
２４  調光信号端子台
２５  電源端子台
２６  本体側接続線
２７  本体側コネクタ
２９  接続部
３１  天井板
３５  制御信号線
３６  電源・アース線
４１  本体部
４２  コネクタ部
４３、４４ａ、４４ｂ  制御信号線
５０  無線信号モジュール
５１  制御信号入力部
５２  制御部
６１  ソケット部
６２  端子部
７１  制御信号入力部
７２  変換部
７３  出力端子部
７４  入力端子部
７５  信号レベル変換部
７６  周波数変換部
８１  本体部
１００  有線信号モジュール
１０１  本体部
１０２  端子台部
【図１】
2018160373.tif 000003
【図２】
2018160373.tif 000004
【図３】
2018160373.tif 000005
【図４】
2018160373.tif 000006
【図５】
2018160373.tif 000007
【図６】
2018160373.tif 000008
【図７】
2018160373.tif 000009